(57)【要約】【課題】各プリントペーパの性質の違いにより該各プリントペーパ毎に発生する、機械的な差異を調整する記録装置を提供する。【解決手段】ペーパマガジンには、該ペーパマガジンによって保持されたプリントペーパの幅及び面質を識別するためのコードプレートが設けられている。マガジン収容部にはそのコードプレートの識別情報を取得するためのコードセンサ２２が設けられている。半導体メモリＲＡＭ／ＲＯＭは、複数種のプリントペーパの各プリントペーパ毎に予め設定された調整値が予め記憶されている。プリントブロックＢは、コードセンサ２２の検出結果に対応する調整値を半導体メモリＲＡＭ／ＲＯＭから読み出し、該読み出した調整値に基づきプリントペーパの搬送量等を調整する。【選択図】図６
2005306524.tif 000002
【特許請求の範囲】
【請求項１】
性質が異なる複数種のプリントペーパを夫々搬送して該プリントペーパに対して画像を記録することができる記録装置であって、
プリントペーパを搬送する搬送手段と、
上記各プリントペーパ毎に予め設定され且つ上記搬送手段のプリントペーパの搬送量を調整するための複数の調整値を記憶する記憶手段と、
搬送・記録されるプリントペーパが上記複数種のプリントペーパのうちいずれであるかを識別する識別手段と、
上記識別結果に対応する調整値を上記記憶手段から読み出し、該読み出した調整値に基づき上記搬送量を調整する調整手段とを備えた
ことを特徴とする記録装置。
【請求項２】
性質が異なる複数種のプリントペーパを夫々搬送して該プリントペーパに対して画像を記録することができる記録装置であって、
プリントペーパに対向する面にノズルが形成され且つ該ノズルからインクをプリントペーパに対して吐出させるインクジェットヘッドと、
上記各プリントペーパ毎に予め設定され且つ上記ノズルからインクをプリントペーパに対して吐出させるタイミングを調整するための複数の調整値を記憶する記憶手段と、
搬送・記録されるプリントペーパが上記複数種のプリントペーパのうちいずれであるかを識別する識別手段と、
上記識別結果に対応する調整値を上記記憶手段から読み出し、該読み出した調整値に基づき上記タイミングを調整する調整手段とを備えた
ことを特徴とする記録装置。
【請求項３】
性質が異なる複数種のプリントペーパを夫々搬送して該プリントペーパに対して画像を記録することができる記録装置であって、
プリントペーパに対して画像を記録する記録手段と、
上記各プリントペーパ毎に予め設定され且つ上記記録手段がプリントペーパに対して画像を記録する位置を調整するための複数の調整値を記憶する記憶手段と、
搬送・記録されるプリントペーパが上記複数種のプリントペーパのうちいずれであるかを識別する識別手段と、
上記識別結果に対応する調整値を上記記憶手段から読み出し、該読み出した調整値に基づき上記位置を調整する調整手段とを備えた
ことを特徴とする記録装置。
【請求項４】
性質が異なる複数種のプリントペーパを夫々搬送して該プリントペーパに対して画像を記録することができる記録装置であって、
搬送されるプリントペーパをガイドするガイド部材と、
上記各プリントペーパ毎に予め設定され且つ上記ガイド部材の位置を調整するための複数の調整値を記憶する記憶手段と、
搬送・記録されるプリントペーパが上記複数種のプリントペーパのうちいずれであるかを識別する識別手段と、
上記識別結果に対応する調整値を上記記憶手段から読み出し、該読み出した調整値に基づき上記位置を調整する調整手段とを備えた
ことを特徴とする記録装置。
【請求項５】
性質が異なる複数種のプリントペーパを夫々搬送して該プリントペーパに対して画像を記録することができる記録装置であって、
プリントペーパを所定の大きさに切断する切断手段と、
上記各プリントペーパ毎に予め設定され且つ上記切断手段がプリントペーパを切断する位置を調整するための複数の調整値を記憶する記憶手段と、
搬送・記録されるプリントペーパが上記複数種のプリントペーパのうちいずれであるかを識別する識別手段と、
上記識別結果に対応する調整値を上記記憶手段から読み出し、該読み出した調整値に基づき上記位置を調整する調整手段とを備えた
ことを特徴とする記録装置。
【発明の詳細な説明】
【技術分野】
【０００１】
本発明は、記録装置に関するものである。
【背景技術】
【０００２】
従来から、幅や面質等が異なる複数種の記録紙を夫々搬送して該記録紙に対して画像を記録することができる記録装置が知られている。そして、このような記録装置では、各記録紙毎に搬送・記録の条件を変更するのが一般的である。
【０００３】
例えば、特許文献１に係る記録装置では、印画紙を収納したカセットに、その印画紙の種類を電気信号に変換し得るマークが表示されており、このマークをセンサーで検出して電気信号に変換して、印画紙の種類毎に予め記憶されたデータに基づいて露光条件等が自動的に調整される。
【０００４】
また、特許文献２に係る記録装置では、幅が異なる感光材料が夫々装着された複数のマガジンに、感光材料の幅を検出する検出ピンが設けられており、検出ピンによって検出された感光材料の幅に応じて幅ガイドの幅が調整される。
【特許文献１】特開昭６２−２８７２３２号公報
【特許文献２】特開平６−３４７９１１号公報
【発明の開示】
【発明が解決しようとする課題】
【０００５】
ところで、従来から、各記録紙の幅や面質等の違いにより、該各記録紙毎に様々な機械的な誤差（差異）が発生している。そして、それら機械的な誤差を原因として、印刷品質のばらつきが生じている。それゆえに、それら機械的な誤差を調整することができる記録装置の開発が待ち望まれていた。
【０００６】
本発明は、かかる点に鑑みてなされたものであり、その目的とするところは、性質が異なる複数種のプリントペーパを夫々搬送して該プリントペーパに対して画像を記録することができる記録装置において、各プリントペーパの性質の違いにより該各プリントペーパ毎に発生する、機械的な誤差を調整する技術を提供することにある。
【課題を解決するための手段】
【０００７】
第１の発明は、性質が異なる複数種のプリントペーパを夫々搬送して該プリントペーパに対して画像を記録することができる記録装置であって、プリントペーパを搬送する搬送手段と、上記各プリントペーパ毎に予め設定され且つ上記搬送手段のプリントペーパの搬送量を調整するための複数の調整値を記憶する記憶手段と、搬送・記録されるプリントペーパが上記複数種のプリントペーパのうちいずれであるかを識別する識別手段と、上記識別結果に対応する調整値を上記記憶手段から読み出し、該読み出した調整値に基づき上記搬送量を調整する調整手段とを備えたことを特徴とするものである。
【０００８】
ところで、各プリントペーパの性質の違いにより、該各プリントペーパ毎に搬送手段のプリントペーパの搬送量の誤差が発生する。
【０００９】
ここで、本発明によれば、識別手段が、搬送・記録されるプリントペーパが複数種のプリントペーパのうちいずれであるかを識別し、調整手段が、その識別結果に対応する、搬送手段のプリントペーパの搬送量を調整するための調整値を記憶手段から読み出し、該読み出した調整値に基づきその搬送量を調整するので、各プリントペーパの性質の違いにより該各プリントペーパ毎に発生する、搬送手段のプリントペーパの搬送量の誤差を調整することができる。
【００１０】
第２の発明は、性質が異なる複数種のプリントペーパを夫々搬送して該プリントペーパに対して画像を記録することができる記録装置であって、プリントペーパに対向する面にノズルが形成され且つ該ノズルからインクをプリントペーパに対して吐出させるインクジェットヘッドと、上記各プリントペーパ毎に予め設定され且つ上記ノズルからインクをプリントペーパに対して吐出させるタイミングを調整するための複数の調整値を記憶する記憶手段と、搬送・記録されるプリントペーパが上記複数種のプリントペーパのうちいずれであるかを識別する識別手段と、上記識別結果に対応する調整値を上記記憶手段から読み出し、該読み出した調整値に基づき上記タイミングを調整する調整手段とを備えたことを特徴とするものである。
【００１１】
ところで、各プリントペーパの性質の違いにより、該各プリントペーパ毎にプリントペーパ上のインクの着弾位置の誤差が発生する。
【００１２】
ここで、本発明によれば、識別手段が、搬送・記録されるプリントペーパが複数種のプリントペーパのうちいずれであるかを識別し、調整手段が、その識別結果に対応する、ノズルからインクをプリントペーパに対して吐出させるタイミングを調整するための調整値を記憶手段から読み出し、該読み出した調整値に基づきそのタイミングを調整するので、各プリントペーパの性質の違いにより該各プリントペーパ毎に発生する、プリントペーパ上のインクの着弾位置の誤差を調整することができる。
【００１３】
第３の発明は、性質が異なる複数種のプリントペーパを夫々搬送して該プリントペーパに対して画像を記録することができる記録装置であって、プリントペーパに対して画像を記録する記録手段と、上記各プリントペーパ毎に予め設定され且つ上記記録手段がプリントペーパに対して画像を記録する位置を調整するための複数の調整値を記憶する記憶手段と、搬送・記録されるプリントペーパが上記複数種のプリントペーパのうちいずれであるかを識別する識別手段と、上記識別結果に対応する調整値を上記記憶手段から読み出し、該読み出した調整値に基づき上記位置を調整する調整手段とを備えたことを特徴とするものである。
【００１４】
ところで、各プリントペーパの性質の違いにより、該各プリントペーパ毎に記録手段がプリントペーパに対して画像を記録する位置の誤差が発生する。
【００１５】
ここで、本発明によれば、識別手段が、搬送・記録されるプリントペーパが複数種のプリントペーパのうちいずれであるかを識別し、調整手段が、その識別結果に対応する、記録手段がプリントペーパに対して画像を記録する位置を調整するための調整値を記憶手段から読み出し、該読み出した調整値に基づきその位置を調整するので、各プリントペーパの性質の違いにより該各プリントペーパ毎に発生する、記録手段がプリントペーパに対して画像を記録する位置の誤差を調整することができる。
【００１６】
第４の発明は、性質が異なる複数種のプリントペーパを夫々搬送して該プリントペーパに対して画像を記録することができる記録装置であって、搬送されるプリントペーパをガイドするガイド部材と、上記各プリントペーパ毎に予め設定され且つ上記ガイド部材の位置を調整するための複数の調整値を記憶する記憶手段と、搬送・記録されるプリントペーパが上記複数種のプリントペーパのうちいずれであるかを識別する識別手段と、上記識別結果に対応する調整値を上記記憶手段から読み出し、該読み出した調整値に基づき上記位置を調整する調整手段とを備えたことを特徴とするものである。
【００１７】
ところで、各プリントペーパの性質の違いにより、該各プリントペーパ毎に搬送されるプリントペーパの位置の誤差が発生する。
【００１８】
ここで、本発明によれば、識別手段が、搬送・記録されるプリントペーパが複数種のプリントペーパのうちいずれであるかを識別し、調整手段が、その識別結果に対応する、ガイド部材の位置を調整するための調整値を記憶手段から読み出し、該読み出した調整値に基づきその位置を調整するので、各プリントペーパの性質の違いにより該各プリントペーパ毎に発生する、搬送されるプリントペーパの位置の誤差を調整することができる。
【００１９】
第５の発明は、性質が異なる複数種のプリントペーパを夫々搬送して該プリントペーパに対して画像を記録することができる記録装置であって、プリントペーパを所定の大きさに切断する切断手段と、上記各プリントペーパ毎に予め設定され且つ上記切断手段がプリントペーパを切断する位置を調整するための複数の調整値を記憶する記憶手段と、搬送・記録されるプリントペーパが上記複数種のプリントペーパのうちいずれであるかを識別する識別手段と、上記識別結果に対応する調整値を上記記憶手段から読み出し、該読み出した調整値に基づき上記位置を調整する調整手段とを備えたことを特徴とするものである。
【００２０】
ところで、各プリントペーパの性質の違いにより、該各プリントペーパ毎にプリントペーパの切断位置の誤差が発生する。
【００２１】
ここで、本発明によれば、識別手段が、搬送・記録されるプリントペーパが複数種のプリントペーパのうちいずれであるかを識別し、調整手段が、その識別結果に対応する、切断手段がプリントペーパを切断する位置を調整するための調整値を記憶手段から読み出し、該読み出した調整値に基づきその位置を調整するので、各プリントペーパの性質の違いにより該各プリントペーパ毎に発生する、プリントペーパの切断位置の誤差を調整することができる。
【発明の効果】
【００２２】
本発明によれば、各プリントペーパ毎に予め設定された最適な調整値に基づき様々な機械的な誤差（差異）を調整することができる。したがって、各プリントペーパの性質の違いにより該各プリントペーパ毎に発生する各機械的な誤差を原因とする、印刷品質のばらつきを防ぐことができる。
【発明を実施するための最良の形態】
【００２３】
以下、本発明の実施形態を図面に基づいて詳細に説明する。
【００２４】
［全体構成］
図１に示すように、本発明の実施形態に係るインクジェット型のプリント装置は、画像データの取得及びオーダ情報の取得を行い必要な補正処理等を行う受付ブロックＡと、その受付ブロックＡから通信ケーブル１を介して伝送される画像データをオーダ情報に基づきプリントペーパＰに対して印刷を行うプリントブロックＢとを備えている。このプリント装置は、幅及び面質の少なくとも一方が互いに異なる複数種のプリントペーパＰ，…を夫々搬送して該プリントペーパＰに対して画像を記録することができる。この複数種のプリントペーパＰ，…には、後述する上側及び下側プリントペーパＰ，Ｐが含まれている。
【００２５】
［受付ブロック］
受付ブロックＡは、ワゴン型のフレーム５の上部に設けられた受付装置６と、表示画面がタッチパネル７によって構成されている液晶型のディスプレイ８と、フレーム５の上下方向の中間位置に設けられたフラットベッドスキャナＦＳとを備えている。ディスプレイ８には、「印刷を開始する」等のメニューが表示される。そして、それらメニューを夫々指で押すことにより受付ブロックＡからプリントブロックＢに所定の信号（所定の信号については後述する）が夫々発信される。受付装置６の前面部には、フラッシュメモリから成る記録媒体Ｍｓに保存された画像データを読み取るための半導体ドライブ９と、ＣＤ−ＲやＤＶＤ等のディスク型の記録媒体Ｍｄに保存された画像データを読み取るためのディスクドライブ１０が配設されている。
【００２６】
フラットベッドスキャナＦＳは、透明ガラス製のスキャニングテーブル１３とそのスキャニングテーブル１３の下側に配置されたスキャニングヘッド１４とを有する本体部１１と、その本体部１１に開閉自在に取り付けられたプラテンカバー１２とを備えている。スキャニングヘッド１４は主走査方向に配設された複数の光電変換素子（例えば、ＣＣＤ等）と光源とを備えていて、主走査方向と直交する副走査方向に移動することによりスキャニングテーブル１３に載せられたスキャニング対象物の画像をＲ（赤）・Ｇ（緑）・Ｂ（青）の三原色に色分解した画像データとして取り込むように構成されている。
【００２７】
［プリントブロック］
図１及び図２に示すように、プリントブロックＢは、筐体１５と、２つのマガジン収容部Ｂａ，Ｂａと、プリントペーパＰに対して画像の記録を行うプリント部Ｂｂと、インクを貯留するインク貯留部Ｂｃとを備えている。筐体１５の上面部には、横送りベルト１６によって送り出された、小さいサイズのプリントペーパＰを受け止める仕分け部１７と、大きいサイズのプリントペーパＰを受け止めるラック板１８とが配設されている。
【００２８】
マガジン収容部Ｂａは、筐体１５の前壁体１５Ａのスライド移動に伴ってスライド移動するドロワー２０を備えていて、そのドロワー２０にペーパマガジン２１によって保持されたロール状のプリントペーパＰを収容するよう構成されている。上側及び下側のマガジン収容部Ｂａ，Ｂａには夫々、幅及び面質が互いに異なるプリントペーパＰ，Ｐが収納されている。具体的には、上側のマガジン収容部Ｂａに収容されたプリントペーパＰ（以下、上側プリントペーパＰという）の幅は、下側のマガジン収容部Ｂａに収容されたプリントペーパＰ（以下、下側プリントペーパＰ）よりも小さい。
【００２９】
プリント部Ｂｂは、筐体１５内に収容され且つプリントペーパＰに対してインクを吹き付けて該プリントペーパＰ上に画像を形成するプリントヘッドＨを備えている。プリントヘッドＨは、搬送・印刷されるプリントペーパＰに対向するノズル面に複数のノズルが形成されたヘッドを３つ備えていて、主走査方向Ｘ（図５を参照）に移動しながら各ヘッドの各ノズルからインクをプリントペーパＰに対して吐出させて該プリントペーパＰ上にドッドを形成することにより画像を形成する。プリントヘッドＨには反射型のセンサ３５（図３及び図５を参照）が設けられている。
【００３０】
インク貯留部Ｂｃは、筐体１５内に挿抜可能に収容され且つ色相が異なる７つのインクカートリッジ２３，…を備えている。これらインクカートリッジ２３，…は、挿抜することにより新しいインクカートリッジ２３に交換することができる。これらインクカートリッジ２３，…にはイエロー（Ｙ）、マゼンタ（Ｍ）、シアン（Ｃ）、ブラック（Ｋ）、レッド（Ｒ）、バイオレット（Ｖ）及びクリア（ＣＬ，透明）のインクが夫々封入されている。
【００３１】
［ペーパ搬送機構］
図３に示すように、ペーパー搬送機構は、供給ユニットＵ１、プリントユニットＵ２、ループ形成ユニットＵ３、カッターユニットＵ４、反転ユニットＵ５及び排出ユニットＵ６を備えている。そして、プリントペーパＰに対して画像のプリントを行う際には、上側及び下側プリントペーパＰ，Ｐのうちいずれか一方を供給ユニットＵ１によってプリントユニットＵ２に対して供給し、それから、供給されたプリントペーパＰをプリントユニットＵ２によって搬送しながらプリントヘッドＨによって画像のプリントを行い、その後、プリントされたプリントペーパＰをループ形成ユニットＵ３からカッターユニットＵ４に送ってプリントサイズに切断した後、反転ユニットＵ５及び排出ユニットＵ６によって横送りベルト１６又はラック板１８に対して送り出す。なお、本発明に係る搬送手段はペーパ搬送機構に対応する。
【００３２】
具体的に説明すると、供給ユニットＵ１は、ペーパマガジン２１に収容されたプリントペーパＰに回転力を付与する支持ローラ２５と、プリントペーパＰをペーパマガジン２１からプリントユニットＵ２に搬送するための圧着型の供給ローラ２６と、その供給ローラ２６によって搬送されるプリントペーパＰを案内してプリントユニットＵ２に対して供給するガイド部材（図示せず）とを備えている。支持ローラ２５と供給ローラ２６とは供給搬送用の電動モータによって駆動される。
【００３３】
プリントユニットＵ２は、プリントヘッドＨを主走査方向Ｘに案内するガイドレール２８と、プーリ２９に巻かれ且つプリントヘッドＨをガイドレール２８に沿って往復移動させるための駆動ベルト３０と、プリントペーパＰをプリントヘッドＨがプリントを行うことができる位置に吸着保持するペーパ保持部Ｄと、そのペーパ保持部Ｄの上流側と下流側とに配置された圧着型のプリント搬送ローラ３１，３１とを備えている。ペーパ保持部Ｄは、厚み方向に複数の孔が形成された案内プレート３２と、筐体３３内に設けられ且つプリントペーパＰに対して案内プレート３２の孔を介して負圧を与えるためのファン３４とを備えている。そして、図４に示すように、プリントペーパＰに対してプリントを行う際には、プリントペーパＰにおける互いに間隔ｄだけ開いている領域Ｇ，…に画像のプリントを行うと共に、この間隔ｄの領域に切断マークｍを形成する。なお、本発明に係る記録手段は上記プリント部Ｂｂ及びプリントユニットＵ２に対応する。
【００３４】
図３に示すように、ループ形成ユニットＵ３は、下流側のプリント搬送ローラ３１の下流側に配置されたガイド板３６と、そのガイド板３６によって案内されたプリントペーパＰを搬送するための圧着型の中間ローラ３７とを備えている。ガイド板３６は、ほぼ水平方向に延びる水平姿勢（図３の二点鎖線）と鉛直方向に延びる開放姿勢（図３の実線）とに切換自在に構成されている。そして、長尺のプリントペーパＰをプリントする際には、プリントペーパＰの先端部を水平姿勢のガイド板３６を介して中間ローラ３７に受け渡した後、中間ローラ３７によるプリントペーパＰの搬送を停止し、それから、ガイド板３６を水平姿勢から開放姿勢に切り換え、プリントペーパＰを垂れ下がった状態にしてループを形成する。
【００３５】
カッターユニットＵ４は、長尺のプリントペーパＰをその搬送方向と直交する方向（以下、幅方向という）に切断してプリントサイズにカットするためのものである。カッターユニットＵ４は、プリントペーパＰの幅方向の位置を規制しながら該プリントペーパＰを案内するガイド部材３８と、固定刃３９と、可動刃４０と、切断マークｍを検出する反射型のカット位置センサ４１と、プリントペーパＰを送り出すための圧着型の送り出しローラ４２とを備えている。そして、切断を行う際には、カット位置センサ４１の検出結果に基づき切断する。なお、本発明に係る切断手段はカッターユニットＵ４に対応する。
【００３６】
図３に示すように、反転ユニットＵ５は、プリントペーパＰを圧着する圧着型の反転ローラ４３と、その反転ローラ４３を正・逆回転させる搬送駆動機構（図示せず）と、反転ローラ４３を該ローラ４３の軸芯周りに９０度回転させる反転機構とを備えている。そして、反転ユニットＵ５では、カッターユニットＵ４によって先端側から送り込まれたプリントペーパＰを、その後端部が反転ローラ４３の位置まで来るように該反転ローラ４３を正回転させた後、図３の矢印で示すように反転ユニットＵ５を軸芯周りに９０度回転させ、それから、反転ローラ４３を逆回転させることによりプリントペーパＰをその後端部から排出ユニットＵ６に送り出す。
【００３７】
排出ユニットＵ６は、プリントペーパＰを搬送するための複数の圧着型の排出ローラ４４，…と、それら排出ローラ４４，…によって搬送されたプリントペーパＰを横送りベルト１６及びラック板１８のうちいずれか一方に送り出すための経路切換機構（図示せず）とを備えている。
【００３８】
［インク供給系］
図５に示すように、プリント装置のインク供給系は、インクカートリッジ２３のインクを電磁弁５０Ｖ及び供給管路５１を介してサブタンク５２に供給し、そのサブタンク５２のインクをフレキシブル管路５３を介してプリントヘッダＨに対して送り出すように構成されている。このように、インク供給系では、インクカートリッジ２３のインクをサブタンク５２に貯留するので、印刷を中断することなくインクカートリッジ２３の交換を行える。図５では１つのインク供給系だけが示されているが、実際には、色相が異なる７種類のインクに対応して７つのインク供給系が形成されている。
【００３９】
インクカートリッジ２３は、柔軟な素材を用いて袋状に形成されたインクタンク２３Ｔと空気が供給されることにより膨張する袋状のエアバッグ２３Ｂとを樹脂製のケースに格納して構成されている。インクカートリッジ２３は、エアバッグ２３Ｂに対して空気供給路５５を介して加圧空気を供給する空気加圧部５６と、エアバッグ２３Ｂに対して供給する空気圧を調節する調圧弁５７とをさらに備えている。サブタンク５２は樹脂シート等の柔軟な素材を用いて袋状に形成されている。サブタンク５２の近傍には、該サブタンク５２の膨脹量に基づきインク残量を取得する電気スイッチ型のサブタンクセンサＳが設けられている。インク貯留部Ｂｃには、該インク貯留部Ｂｃにインクカートリッジ２３が存在するか否かを判別する着脱センサ５８が設けられている。
【００４０】
［制御系］
プリント装置の制御系は、図６に示すように構成されている。つまり、受付ブロックＡの受付装置６は、マイクロプロセッサ（以下、ＣＰＵという）と、そのＣＰＵとデータバスを介して接続された、タッチパネル７、ディスプレイ８、半導体ドライブ９、ディスクドライブ１０、半導体メモリＲＡＭ／ＲＯＭ、ハードディスクＨＤ及び通信インタフェース６１とを備えている。受付装置６は、ＣＰＵにおける処理を実現するようソフトウェアから成る、オペレーションシステム６２、画像処理システム６３及びプリンタドライバ６４をさらに備えている。また、受付装置６は、フラットベッドスキャナＦＳから情報を受信する入出力系を構成し、さらに、通信インタフェース６１を介してプリントブロックＢとの間で情報を送受信する信号系を構成している。
【００４１】
プリントブロックＢは、マイクロプロセッサ（以下、ＣＰＵという）と、そのＣＰＵとデータバスを介して接続された、搬送制御部６６、ヘッド制御部６７、半導体メモリＲＡＭ／ＲＯＭ、サブタンクセンサＳ、カット位置センサ４１、着脱センサ５８及び通信インタフェース６８とを備えている。プリントブロックＢは、ＣＰＵにおける処理を実現するようソフトウェアから成る、プリント制御手段６９、インク残量取得手段７０、供給制御手段７１及び報知手段７２をさらに備えている。
【００４２】
搬送制御部６６は、ペーパー搬送機構の各ユニットＵ１，Ｕ２，Ｕ３，Ｕ４，Ｕ５，Ｕ６夫々の制御を行うためのものである。詳細には、搬送制御部６６は、ペーパ搬送機構のプリントペーパＰの搬送量、カッターユニットＵ４の切断タイミング及び各ガイド部材３８の位置の制御などを行うためのものである。ヘッド制御部６７はプリントヘッドＨの制御を行うためのものである。プリント制御手段６９は、受付ブロックＡから送られる画像データに基づきプリントペーパＰに対して画像のプリントを行う際の制御を行うためのものである。詳細には、プリント制御手段６９は、プリント部Ｂｂの印刷タイミング及びプリントペーパＰ上の画像の印刷位置の制御などを行うためのものである。インク残量取得手段７０は、電磁弁５０Ｖの作動回数に基づきインクカートリッジ２３のインク残量を取得するときの制御を行うためのものである。供給制御手段７１は、サブタンクセンサＳからの検出信号に基づきインクカートリッジ２３のインクをサブタンクＳに供給する際の制御を行うためのものである。報知手段７２は、インクカートリッジ２３のインク残量を受付ブロックＡのディスプレイ８に表示してユーザに報知するためのものである。
【００４３】
［調整系］
ところで、本プリント装置では、何ら手段を講じなければ、複数種のプリントペーパＰ，…の各プリントペーパＰの性質（例えば、プリントペーパＰの幅、面質、厚み、硬さ、印刷エリア、紙質、摩擦係数など）の違いにより、各プリントペーパＰ毎に、ペーパ搬送機構のプリントペーパＰの搬送量、プリントペーパＰ上のインクの着弾位置、プリントペーパＰ上の画像の印刷位置、搬送されるプリントペーパＰの位置及びプリントペーパＰの仕上げカット位置などに夫々誤差（差異）が生じ、その結果、印刷品質のばらつきが生じる。
【００４４】
そこで、本発明の特徴として、プリントブロックＢは以下に示す調整系の役割も担っている。すなわち、ペーパマガジン２１には、該ペーパマガジン２１によって保持されたプリントペーパＰの幅及び面質を識別するためのコードプレート（図示せず）が設けられ、マガジン収容部Ｂａにはそのコードプレートの識別情報を取得するための光学式や無線式等のコードセンサ２２（図６を参照）が設けられている。そして、コードセンサ２２によってコードプレートの識別情報を検出することにより、今から搬送・印刷されるプリントペーパＰが、複数種のプリントペーパＰ，…のうちいずれであるかを識別する。なお、本発明に係る識別手段はコードセンサ２２に対応する。
【００４５】
また、プリントブロックＢの半導体メモリＲＡＭ／ＲＯＭには、複数種のプリントペーパＰ，…の各プリントペーパＰ毎に予め設定された調整値（補正値）が夫々記憶されている。この調整値には、ペーパ搬送機構のプリントペーパＰの搬送量を調整するためのものと、プリントヘッドＨのノズルからインクをプリントペーパＰに対して吐出させるタイミングを調整するためのものと、プリントヘッドＨがプリントペーパＰに対して画像を印刷する位置を調整するためのものと、ガイド部材３８の位置を調整するためのものと、カッターユニットＵ４がプリントペーパＰをカットする位置を調整するためのものが含まれている。「プリントヘッドＨがプリントペーパＰに対して画像を印刷する位置を調整するための調整値」としては、例えばプリントペーパＰと該プリントペーパＰ上に印刷される画像との相対位置を調整するための調整値や、プリントペーパＰとペーパ保持部Ｄとの相対位置を調整するための調整値などがある。これら調整値は、所定の試験等を前もって行うことにより各プリントペーパＰ毎に予め求められている。なお、本発明に係る記憶手段は半導体メモリＲＡＭ／ＲＯＭに対応する。
【００４６】
さらに、プリントブロックＢのＣＰＵ、搬送制御部６６、ヘッド制御部６７及びプリント制御手段６９は、コードセンサ２２の検出結果に対応する各調整値を半導体メモリＲＡＭ／ＲＯＭから読み出し、該読み出した各調整値に基づきプリントペーパＰの搬送量、インク吐出タイミング、プリントヘッドＨのプリントペーパＰに対する画像の印刷位置、ガイド部材３８の位置及びカッターユニットＵ４のカット位置を夫々微調整するように構成されている。なお、本発明に係る調整手段はプリントブロックＢのＣＰＵ、搬送制御部６６、ヘッド制御部６７及びプリント制御手段６９に対応する。
【００４７】
−調整系の動作−
以下、プリント装置（特に、上記調整系）の動作について説明する。まず、ユーザがディスプレイ８の「印刷を開始する」を指で押すと、受付ブロックＡからプリントブロックＢに印刷開始信号が発信されて印刷が開始される。次に、オーダ情報等に基づき、上側及び下側プリントペーパＰ，Ｐのうちいずれか一方を、今から搬送・印刷するプリントペーパＰとして自動選択する。次に、選択されたプリントペーパＰを収容するマガジン収容部Ｂａのコードセンサ２２によってペーパマガジン２１のコードプレートの識別情報を検出して、これから搬送・印刷するプリントペーパＰが複数種のプリントペーパＰ，…のうちいずれであるかを判別する。次に、コードセンサ２２の判別結果に対応する各調整値、すなわち、今から搬送・印刷するプリントペーパＰに対応する各調整値を夫々読み出し、該読み出した各調整値に基づきプリントペーパＰの搬送量、インク吐出タイミング、印刷位置、ガイド部材３８の位置及びカッターユニットＵ４のカット位置を夫々微調整する。こうして、各プリントペーパＰの性質の違いにより該各プリントペーパＰ毎に発生する、プリントペーパＰの搬送量、インク着弾位置、印刷位置、搬送されるプリントペーパＰの位置及び仕上げカット位置の誤差が夫々調整される。その後、マガジン収容部ＢａからプリントペーパＰを搬送して該プリントペーパＰに対して画像を印刷する。
【００４８】
−効果−
以上により、本実施形態によれば、コードセンサ２２が、これから搬送・印刷されるプリントペーパＰが複数種のプリントペーパＰ，…のうちいずれであるかを識別し、プリントブロックＢのＣＰＵ、搬送制御部６６、ヘッド制御部６７及びプリント制御手段６９が、その識別結果に対応する各調整値をプリントブロックＢの半導体メモリＲＡＭ／ＲＯＭから読み出し、該読み出した各調整値に基づき、プリントペーパＰの搬送量、インク吐出タイミング、印刷位置、ガイド部材３８の位置及びカッターユニットＵ４のカット位置を夫々微調整する。そのため、各プリントペーパＰの性質の違いにより該各プリントペーパＰ毎に発生する、プリントペーパＰの搬送量、インク着弾位置、印刷位置、搬送されるプリントペーパＰの位置及びプリントペーパＰの仕上げカット位置の誤差を夫々微調整することができる。したがって、各プリントペーパＰの性質の違いにより該各プリントペーパＰ毎に発生する各機械的な誤差を原因とする、印刷品質のばらつきを防ぐことができる。
【００４９】
（その他の実施形態）
なお、本実施形態では、コードセンサ２２によってペーパマガジン２１のコードプレートの識別情報を取得することにより、プリントペーパＰの種類を識別しているが、これに限らず、コードセンサ２２以外のセンサを用いてプリントペーパＰの種類を識別するための所定の識別情報を検出することにより、プリントペーパＰの種類を識別しても良い。さらに、プリントペーパＰの幅や面質等を直接検出するセンサ、例えばセンサ３５を用いてプリントペーパＰの幅や面質等を検出することにより、プリントペーパＰの種類を識別しても良い。
【００５０】
また、本実施形態では、プリントブロックＢがインク吐出タイミングを微調整することにより、インク着弾位置の誤差を微調整しているが、これに限らず、例えばノズル面と搬送・印刷されるプリントペーパＰとの相対距離を微調整することにより、インク着弾位置の誤差を微調整しても良い。
【００５１】
また、本実施形態では、プリントブロックＢがプリントペーパＰの搬送量等を夫々調整しているが、これに限らず、プリントブロックＢが、これら以外の機械的な誤差を調整しても良い。
【００５２】
また、本実施形態では、プリント装置が、上側及び下側プリントペーパＰ，Ｐのうちいずれか一方を今から搬送・印刷するプリントペーパＰとして自動的に選択しているが、ユーザ自ら、上側及び下側プリントペーパＰ，Ｐのいずれか一方を選択するようにしても良い。
【００５３】
本発明は、実施形態に限定されず、その精神又は主要な特徴から逸脱することなく他の色々な形で実施することができる。
【００５４】
このように、上述の実施形態はあらゆる点で単なる例示に過ぎず、限定的に解釈してはならない。本発明の範囲は請求の範囲によって示すものであって、明細書本文には何ら拘束されない。さらに、請求の範囲の均等範囲に属する変形や変更は、全て本発明の範囲内のものである。
【産業上の利用可能性】
【００５５】
以上説明したように、本発明は、性質が異なる複数種のプリントペーパを夫々搬送して該プリントペーパに対して画像を記録することができる記録装置等について有用である。
【図面の簡単な説明】
【００５６】
【図１】本発明の実施形態に係るプリントシステム全体を示す斜視図である。
【図２】プリントブロックの斜視図である。
【図３】プリントブロックのプリントペーパの搬送系を示す図である。
【図４】プリントペーパにプリントされた画像と切断マークとを示す図である。
【図５】インク供給系を示す模式図である。
【図６】プリントシステムの制御系を示す図である。
【符号の説明】
【００５７】
Ａ    受付ブロック
Ｂ    プリントブロック
Ｂｂ  プリント部
Ｈ    プリントヘッド
Ｐ    プリントペーパ
【図１】
2005306524.tif 000003
【図２】
2005306524.tif 000004
【図３】
2005306524.tif 000005
【図４】
2005306524.tif 000006
【図５】
2005306524.tif 000007
【図６】
2005306524.tif 000008